(57)【要約】  本発明は、多重水素結合が可能な水素結合性官能基と１以上のイソシアネート基を有する反応性イソシアネート化合物と２以上のヒドロキシ基を有するポリオール間の反応物を含む高分子マトリックスまたはその前駆体；光反応性単量体；および光開始剤；を含むフォトポリマー組成物と、前記フォトポリマー組成物から製造されたホログラム記録媒体と、前記ホログラム記録媒体を含む光学素子と、前記フォトポリマー組成物を利用したログラフィック記録方法に関する。【特許請求の範囲】
【請求項１】
多重水素結合が可能な水素結合性官能基と１以上のイソシアネート基を有する反応性イソシアネート化合物と２以上のヒドロキシ基を有するポリオール間の反応物を含む高分子マトリックスまたはその前駆体；
光反応性単量体；および
光開始剤；を含む、フォトポリマー組成物。
【請求項２】
前記多重水素結合が可能な水素結合性官能基は、−ＯＨ、−ＯＲ、−ＮＨ２、−ＮＨＲ（Ｒは炭素数１乃至２０の脂肪族基）、−ＮＲ２（Ｒは炭素数１乃至２０の脂肪族基）、−ＣＯＯＨ基、−ＣＯＯＲ（Ｒは炭素数１乃至２０の脂肪族基）、−ＣＯＮＨ２、−ＣＯＮＲ２、−ＮＨＯＨ、および−ＮＲＯＲ（Ｒは炭素数１乃至２０の脂肪族基）からなる群より選択される１価官能基であるか、
−ＮＨＣＯ−、−ＮＲＣＯ−、−Ｏ−、−ＮＨ−、−ＮＲ−、−ＣＯＯ−、−ＣＯＮＨＣＯ−、−ＣＯＮＲＣＯ−、−ＮＨ−ＮＨ−、−ＮＲ−ＮＨ−、および−ＮＲ−ＮＲ−からなる群より選択される２価官能基であり、
前記Ｒは炭素数１乃至２０の脂肪族基、炭素数４乃至２０の脂環式基、または炭素数６乃至２０の芳香族である、
請求項１に記載のフォトポリマー組成物。
【請求項３】
前記多重水素結合が可能な水素結合性官能基と１以上のイソシアネート基を有する反応性イソシアネート化合物は、
多重水素結合が可能な水素結合性官能基を含有するヘテロ環化合物；と、１以上のイソシアネート基を有する脂肪族、脂環式または芳香族化合物；が結合された構造を有する、請求項２に記載のフォトポリマー組成物。
【請求項４】
前記多重水素結合が可能な水素結合性官能基を含有するヘテロ環化合物は、２−ウレイド−４−ピリミジノン（２−ｕｒｅｉｄｏ−４−ｐｙｒｉｍｉｄｉｎｏｎｅ）、２−ウレイド−４−ピリミジノール（４−ｕｒｅｉｄｏ−４−ｐｙｒｉｍｉｄｉｎｏｌ）、２−ウレイド−４−ピリミドン（２−ｕｒｉｅｄｏ−４−ｐｙｒｉｍｉｄｏｎｅ）、ジアシルピリミジン（ｄｉａｃｙｌｐｙｒｉｍｉｄｉｎｅ）、２，６−ジ（アセチルアミノ）−４−ピリジル（２，６−ｄｉ（ａｃｅｔｙｌａｍｉｎｏ）−４−ｐｙｒｉｄｙｌ）、２，７−ジアミノ−１，８−ナフチリジン（２，７−ｄｉａｍｉｎｏ−１，８−ｎａｐｈｔｈｙｒｉｄｉｎｅ）、アデニン（ａｄｅｎｉｎｅ）、チミン（ｔｈｙｍｉｎｅ）、ウラシル（ｕｒａｃｉｌ）、グアニン（ｇｕａｎｉｎｅ）シトシン（ｃｙｔｏｓｉｎｅ）、アデニン−チミン二量体（ａｄｅｎｉｎｅ−ｔｈｙｍｉｎｅ  ｄｉｍｅｒ）、アデニン−ウラシル二量体（ａｄｅｎｉｎｅ−ｕｒａｃｉｌ  ｄｉｍｅｒ）、およびグアニン−シトシン二量体（ｇｕａｎｉｎｅ−ｃｙｔｏｓｉｎｅ  ｄｉｍｅｒ）からなる群より選択されるいずれか一つである、
請求項３に記載のフォトポリマー組成物。
【請求項５】
前記１以上のイソシアネート基を有する脂肪族、脂環式または芳香族化合物は、１以上のイソシアネート基を含む炭素数１乃至２０の脂肪族化合物、１以上のイソシアネート基を含み、炭素数１乃至１０の脂肪族基が１以上置換された炭素数４乃至２０の脂環式化合物、または１以上のイソシアネート基を含み、炭素数１乃至１０の脂肪族基が１以上置換された炭素数６乃至２０の芳香族化合物である、
請求項３または４に記載のフォトポリマー組成物。
【請求項６】
前記２以上のヒドロキシ基を有するポリオールは、１，０００ｇ／ｍｏｌ乃至３，０００ｇ／ｍｏｌの水酸基当量を有し、
前記多重水素結合が可能な水素結合性官能基と１以上のイソシアネート基を有する反応性イソシアネート化合物に対比して２以上のヒドロキシ基を有するポリオールのモル比が２乃至８である、請求項１から５のいずれか一項に記載のフォトポリマー組成物。
【請求項７】
前記光反応性単量体は、多官能（メタ）アクリレート単量体、または単官能（メタ）アクリレート単量体を含む、請求項１から６のいずれか一項に記載のフォトポリマー組成物。
【請求項８】
前記高分子マトリックスまたはその前駆体１重量％乃至８０重量％；前記光反応性単量体１重量％乃至８０重量％；および光開始剤０．１重量％乃至２０重量％；を含む、請求項１から７のいずれか一項に記載のフォトポリマー組成物。
【請求項９】
低屈折率フッ素系化合物をさらに含む、請求項１から８のいずれか一項に記載のフォトポリマー組成物。
【請求項１０】
前記低屈折率フッ素系化合物は、エーテル基、エステル基およびアミド基からなる群より選択された１種以上の官能基および２以上のジフルオロメチレン基を含む、請求項９に記載のフォトポリマー組成物。
【請求項１１】
請求項１から１０のいずれか一項に記載のフォトポリマー組成物から製造されたホログラム記録媒体。
【請求項１２】
請求項１１に記載のホログラム記録媒体を含む光学素子。
【請求項１３】
可干渉性光源により請求項１から１０のいずれか一項に記載のフォトポリマー組成物に含まれている光反応性単量体を選択的に重合させる段階を含む、ホログラフィック記録方法。
【発明の詳細な説明】
【技術分野】
【０００１】
［関連出願との相互引用］
本出願は、２０１７年１２月１１日付韓国特許出願第１０−２０１７−０１６９４８８号に基づいた優先権の利益を主張し、当該韓国特許出願の文献に開示されたすべての内容は本明細書の一部として組み含まれる。
【０００２】
本発明は、フォトポリマー組成物、ホログラム記録媒体、光学素子およびホログラフィック記録方法に関する。
【背景技術】
【０００３】
ホログラム（ｈｏｌｏｇｒａｍ）記録メディアは、露光過程を通じて前記メディア内のホログラフィック記録層内の屈折率を変化させることによって情報を記録し、このように記録されたメディア内の屈折率の変化を読み取って情報を再生する。
【０００４】
フォトポリマー（感光性樹脂、ｐｈｏｔｏｐｏｌｙｍｅｒ）を利用する場合、低分子単量体の光重合により光干渉パターンをホログラムで容易に保存できるため、光学レンズ、鏡、偏向鏡、フィルター、拡散スクリーン、回折部材、導光体、導波管、映写スクリーンおよび／またはマスクの機能を有するホログラフィック光学素子、光メモリシステムの媒質と光拡散板、光波長分割器、反射型、透過型カラーフィルターなど多様な分野に用いることができる。
【０００５】
通常、ホログラム製造用フォトポリマー組成物は、高分子バインダー、単量体および光開始剤を含み、このような組成物から製造された感光性フィルムに対してレーザ干渉光を照射して局部的な単量体の光重合を誘導する。
【０００６】
このような光重合過程で単量体が相対的に多く存在する部分では屈折率が高くなり、高分子バインダーが相対的に多く存在する部分では屈折率が相対的に低くなって屈折率変調ができるようになり、このような屈折率変調により回折格子が生成される。屈折率変調値ｎは、フォトポリマー層の厚さと回折効率（ＤＥ）に影響を受け、角度選択性は厚さが薄いほど広くなる。
【０００７】
最近は高い回折効率と安定的にホログラムを維持できる材料の開発に対する要求と共に、薄い厚さを有しながらも屈折率変調値が大きいフォトポリマー層の製造のための多様な試みが行われている。
【発明の概要】
【発明が解決しようとする課題】
【０００８】
本発明の目的は、薄い厚さ範囲でも高い屈折率変調値および高い回折効率を実現できるフォトポリマー層をより容易に提供できるフォトポリマー組成物を提供することにある。
【０００９】
また、本発明の目的は、薄い厚さ範囲でも高い屈折率変調値および高い回折効率を実現できるフォトポリマー層を含むホログラム記録媒体を提供することにある。
【００１０】
また、本発明の目的は、ホログラム記録媒体を含む光学素子を提供することにある。
【００１１】
また、本発明の目的は、電磁気放射線により前記フォトポリマー組成物に含まれている光反応性単量体を選択的に重合させる段階を含む、ホログラフィック記録方法を提供することにある。
【課題を解決するための手段】
【００１２】
本明細書では、多重水素結合が可能な水素結合性官能基と１以上のイソシアネート基を有する反応性イソシアネート化合物と２以上のヒドロキシ基を有するポリオール間の反応物を含む高分子マトリックスまたはその前駆体；光反応性単量体；および光開始剤；を含む、フォトポリマー組成物が提供される。
【００１３】
また、本明細書では、前記フォトポリマー組成物から製造されたホログラム記録媒体が提供される。
【００１４】
また、本明細書では、前記ホログラム記録媒体を含む光学素子が提供される。
【００１５】
また、本明細書では、可干渉性光源により前記フォトポリマー組成物に含まれている光反応性単量体を選択的に重合させる段階を含む、ホログラフィック記録方法が提供される。
【００１６】
以下、発明の具体的な実施形態に係るフォトポリマー組成物、ホログラム記録媒体、光学素子、およびホログラフィック記録方法についてより詳細に説明する。
【００１７】
本明細書で、（メタ）アクリレートは、メタクリレートまたはアクリレートを意味する。
【００１８】
本明細書で、（共）重合体は、単独重合体または共重合体（ランダム共重合体、ブロック共重合体、グラフト共重合体を含む）を意味する。
【００１９】
また、本明細書で、ホログラム（ｈｏｌｏｇｒａｍ）は、露光過程を通じて全体可視範囲および近紫外線範囲（３００〜８００ｎｍ）で光学的情報が記録された記録メディアを意味し、例えばインライン（ガボール（Ｇａｂｏｒ））ホログラム、オフアクシス（ｏｆｆ−ａｘｉｓ）ホログラム、完全穿孔（ｆｕｌｌ−ａｐｅｒｔｕｒｅ）移転ホログラム、白色光透過ホログラム（“レインボーホログラム”）、デニシューク（Ｄｅｎｉｓｙｕｋ）ホログラム、オフアクシス反射ホログラム、エッジリタラチャー（ｅｄｇｅ−ｌｉｔｅｒａｔｕｒｅ）ホログラムまたはホログラフィックステレオグラム（ｓｔｅｒｅｏｇｒａｍ）などの視覚的ホログラム（ｖｉｓｕａｌ  ｈｏｌｏｇｒａｍ）のすべてを含む。
【００２０】
本明細書において、アルキル基は、直鎖または分枝鎖であってもよく、炭素数は特に限定されないが、１乃至４０であることが好ましい。一実施状態によれば、前記アルキル基の炭素数は１乃至２０である。また一つの実施状態によれば、前記アルキル基の炭素数は１乃至１０である。また一つの実施状態によれば、前記アルキル基の炭素数は１乃至６である。アルキル基の具体的な例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これらに限定されない。
【００２１】
本明細書において、アルキレン基は、アルカン（ａｌｋａｎｅ）に由来する２価の官能基であり、例えば、直鎖型、分枝型または環状として、メチレン基、エチレン基、プロピレン基、イソブチレン基、ｓｅｃ−ブチレン基、ｔｅｒｔ−ブチレン基、ペンチレン基、へキシレン基などになることができる。
【００２２】
また、本明細書において、「＊」は他の置換基に連結される結合を意味する。
【００２３】
発明の一実施形態によれば、多重水素結合が可能な水素結合性官能基と１以上のイソシアネート基を有する反応性イソシアネート化合物と２以上のヒドロキシ基を有するポリオール間の反応物を含む高分子マトリックスまたはその前駆体；光反応性単量体；および光開始剤；を含む、フォトポリマー組成物が提供され得る。
【００２４】
本発明者らは、多重水素結合が可能な水素結合性官能基と１以上のイソシアネート基を有する反応性イソシアネート化合物と２以上のヒドロキシ基を有するポリオール間の反応物を含む高分子マトリックスまたはその前駆体を含むフォトポリマー組成物から形成されるホログラムが薄い厚さ範囲でも高い屈折率変調値および高い回折効率を実現できるという点を実験を通じて確認して発明を完成した。
【００２５】
より具体的に、前述した高分子マトリックスまたはその前駆体は、構造的安定性によりホログラム形成時に収縮（ｓｈｒｉｎｋａｇｅ）が大きく発生しないため、ホログラムの歪曲を防止することができ、水素結合のような非共有結合からなるネットワーク構造であるため、外部の衝撃が加えられた時、分子間相互作用によりネットワーク構造が再形成される特性を有し、外部衝撃に対する耐久性が向上することができる。
【００２６】
前記多重水素結合が可能な水素結合性官能基と１以上のイソシアネート基を有する反応性イソシアネート化合物と２以上のヒドロキシ基を有するポリオール間の反応物を含む高分子マトリックスまたはその前駆体は、内部にイソシアネート基とポリオールのヒドロキシが反応して形成されたウレタン結合が存在して形成されたマトリックスの柔軟性（ｆｌｅｘｉｂｉｌｉｔｙ）が優れて最終製造されるホログラム記録媒体で光反応性単量体（ｍｏｎｏｍｅｒ）の流動性（ｍｏｂｉｌｉｔｙ）を改善することができ、その他成分との相溶性が高いため、形成されたホログラムの耐久性が優れるという特徴を有している。
【００２７】
これと共に、前記多重水素結合が可能な水素結合性官能基により前記高分子マトリックス内部に水素結合が形成されて架橋度が調節可能であり、これによって、前述のように水素結合のような非共有結合による架橋構造が形成されて外部衝撃が加えられた時、分子間相互作用により架橋構造の再形成が反復的かつ可逆的な形態で可能となり、最終的に形成されたホログラムの耐久性およびホログラムが形成されたフィルムの機械的物性などが優れた特徴を有することができる。
【００２８】
前記高分子マトリックス内部に水素結合は、結合の強さがＧｉｂｂ’ｓ自由エネルギー（△Ｇ）＝−１２〜−２４Ｋｃａｌ／ｍｏｌ程度に比較的に弱い結合であるが、水素結合の供与体（Ｄｏｎｏｒ）と受容体（Ａｃｃｅｐｔｏｒ）を多数個配列することによって強い結合力を得ることができ、これによって、共有結合による化学的架橋結合を利用した高分子マトリックスのような特性を有することができる。
【００２９】
前記高分子マトリックスまたはその前駆体は、前記ホログラム記録媒体およびこれから製造された最終製品の支持体の役割を果たすことができ、前記光反応性単量体は、記録単量体としての役割を果たすことができ、これらの使用によりホログラフィック記録時に前記高分子マトリックス上で前記光反応性単量体が選択的に重合されて、屈折率が異なる部分による屈折率変調が現れることがある。また、前記高分子マトリックスの屈折率が大きく限定されるのではないが、例えば１．４５乃至１．７０、または１．４５５乃至１．６０、または１．４６乃至１．５３であってもよい。
【００３０】
前記多重水素結合が可能な水素結合性官能基の具体的な例としては、−ＯＨ、−ＯＲ、−ＮＨ２、−ＮＨＲ（Ｒは炭素数１乃至２０の脂肪族基）、−ＮＲ２（Ｒは炭素数１乃至２０の脂肪族基）、−ＣＯＯＨ基、−ＣＯＯＲ（Ｒは炭素数１乃至２０の脂肪族基）、−ＣＯＮＨ２、−ＣＯＮＲ２、−ＮＨＯＨ、および−ＮＲＯＲ（Ｒは炭素数１乃至２０の脂肪族基）からなる群より選択される１価官能基であるか、−ＮＨＣＯ−、−ＮＲＣＯ−、−Ｏ−、−ＮＨ−、−ＮＲ−、−ＣＯＯ−、−ＣＯＮＨＣＯ−、−ＣＯＮＲＣＯ−、−ＮＨ−ＮＨ−、−ＮＲ−ＮＨ−、および−ＮＲ−ＮＲ−からなる群より選択される２価官能基が挙げられる。前記Ｒは炭素数１乃至２０の脂肪族基、炭素数４乃至２０の脂環式基、または炭素数６乃至２０の芳香族であってもよい。
【００３１】
前記多重水素結合が可能な水素結合性官能基と１以上のイソシアネート基を有する反応性イソシアネート化合物の具体的な構造が特に限定されるのではないが、例えば前記反応性イソシアネート化合物は、多重水素結合が可能な水素結合性官能基を含有するヘテロ環化合物；と１以上のイソシアネート基を有する脂肪族、脂環式または芳香族化合物；が結合された構造を有することができる。
【００３２】
前記反応性イソシアネート化合物は、多重水素結合が可能な水素結合性官能基を含有するヘテロ環化合物；と１以上のイソシアネート基を有する脂肪族、脂環式または芳香族化合物；が反応して形成されることもでき、または前述した構造を形成することができる前駆体化合物が反応して形成されることもできる。例えば、所定のヘテロ環化合物と２以上のイソシアネート基を有する脂肪族、脂環式または芳香族化合物が反応することによって前述した構造の反応性イソシアネート化合物が合成されることもできる。
【００３３】
具体的に、前記多重水素結合が可能な水素結合性官能基を含有するヘテロ環化合物は、２−ウレイド−４−ピリミジノン（２−ｕｒｅｉｄｏ−４−ｐｙｒｉｍｉｄｉｎｏｎｅ）、２−ウレイド−４−ピリミジノール（４−ｕｒｅｉｄｏ−４−ｐｙｒｉｍｉｄｉｎｏｌ）、２−ウレイド−４−ピリミドン（２−ｕｒｉｅｄｏ−４−ｐｙｒｉｍｉｄｏｎｅ）、ジアシルピリミジン（ｄｉａｃｙｌｐｙｒｉｍｉｄｉｎｅ）、２，６−ジ（アセチルアミノ）−４−ピリジル（２，６−ｄｉ（ａｃｅｔｙｌａｍｉｎｏ）−４−ｐｙｒｉｄｙｌ）、２，７−ジアミノ−１，８−ナフチリジン（２，７−ｄｉａｍｉｎｏ−１，８−ｎａｐｈｔｈｙｒｉｄｉｎｅ）、アデニン（ａｄｅｎｉｎｅ）、チミン（ｔｈｙｍｉｎｅ）、ウラシル（ｕｒａｃｉｌ）、グアニン（ｇｕａｎｉｎｅ）シトシン（ｃｙｔｏｓｉｎｅ）、アデニン−チミン二量体（ａｄｅｎｉｎｅ−ｔｈｙｍｉｎｅ  ｄｉｍｅｒ）、アデニン−ウラシル二量体（ａｄｅｎｉｎｅ−ｕｒａｃｉｌ  ｄｉｍｅｒ）、およびグアニン−シトシン二量体（ｇｕａｎｉｎｅ−ｃｙｔｏｓｉｎｅ  ｄｉｍｅｒ）からなる群より選択されるいずれか一つであってもよい。
【００３４】
また、前記１以上のイソシアネート基を有する脂肪族、脂環式または芳香族化合物は、１以上のイソシアネート基を含む炭素数１乃至２０の脂肪族化合物、１以上のイソシアネート基を含み、炭素数１乃至１０の脂肪族基が１以上置換された炭素数４乃至２０の脂環式化合物、または１以上のイソシアネート基を含み、炭素数１乃至１０の脂肪族基が１以上置換された炭素数６乃至２０の芳香族化合物であってもよい。
【００３５】
より具体的に、前記１以上のイソシアネート基を含む化合物は、脂肪族、脂環式、芳香族または芳香脂肪族のモノ−、ジ−、トリ−またはポリ−イソシアネートである。また、前記１以上のイソシアネート基を含む化合物は、ウレタン、尿素、カルボジイミド、アシル尿素、イソシアヌレート、アロファネート、ビューレット、オキサジアジントリオン、ウレトジオンまたはイミノオキサジアジンジオン構造を有する単量体型ジ−および／またはトリイソシアネートの比較的に分子量が大きい２次産物（オリゴ−およびポリイソシアネート）であってもよい。
【００３６】
前記１以上のイソシアネート基を含む化合物の具体的な例としては、ブチレンジイソシアネート、ヘキサメチレンジイソシアネート（ＨＤＩ）、イソホロンジイソシアネート（ＩＰＤＩ）、１，８−ジイソシアネート−４−（イソシアネートメチル）オクタン、２，２，４−および／または２，４，４−トリメチルヘキサメチレンジイソシアネート、異性体ビス（４，４’−イソシアネートシクロヘキシル）メタンおよび任意の要望される異性体含有量を有するその混合物、イソシアネートメチル−１，８−オクタンジイソシアネート、１，４−シクロへキシレンジイソシアネート、異性体シクロヘキサンジメチレンジイソシアネート、１，４−フェニレンジイソシアネート、２，４−および／または２，６−トルエンジイソシアネート、１，５−ナフチレンジイソシアネート、２，４’−または４，４’−ジフェニルメタンジイソシアネートおよび／またはトリフェニルメタン４，４’，４”−トリイソシアネートなどが挙げられる。
【００３７】
一方、前記反応性イソシアネート化合物と反応して高分子マトリックスを形成する２以上のヒドロキシ基を有するポリオールは、２乃至２０炭素数を有する脂肪族、芳香脂肪族または脂環式ジオール、トリオールおよび／または高級ポリオールであってもよい。
【００３８】
前記ポリオールは、３００ｇ／ｍｏｌ乃至１０，０００ｇ／ｍｏｌの水酸基当量と１００，０００乃至１，５００，００００ｇ／ｍｏｌの重量平均分子量を有することができる。
【００３９】
前記ジオールの例としては、エチレングリコール、ジエチレングリコール、トリエチレングリコール、テトラエチレングリコール、ジプロピレングリコール、トリプロピレングリコール、１，２−プロパンジオール、１，３−プロパンジオール、１，４−ブタンジオール、ネオペンチルグリコール、２−エチル−２−ブチルプロパンジオール、トリメチルペンタンジオール、ジエチルオクタンジオール位置異性体、１，３−ブチレングリコール、シクロヘキサンジオール、１，４−シクロヘキサンジメタノール、１，６−ヘキサンジオール、１，２−および１，４−シクロヘキサンジオール、水素化ビスフェノールＡ（２，２−ビス（４−ヒドロキシシクロヘキシル）プロパン）、２，２−ジメチル−３−ヒドロキシプロピル、２，２−ジメチル−３−ヒドロキシプロピオネートがある。
【００４０】
また、前記トリオールの例としては、トリメチロールエタン、トリメチロールプロパンまたはグリセロールがある。適した高度−官能性アルコールは、ジトリメチロールプロパン、ペンタエリトリトール、ジペンタエリトリトールまたはソルビトールである。
【００４１】
また、前記ポリオールとしては、比較的大きい分子量の脂肪族および脂環式ポリオール、例えばポリエステルポリオール、ポリエーテルポリオール、ポリカーボネートポリオール、ヒドロキシ−官能性アクリル樹脂、ヒドロキシ−官能性ポリウレタン、ヒドロキシ−官能性エポキシ樹脂などを用いることができる。
【００４２】
前記ポリエステルポリオールは、例えばエタンジオール、ジ−、トリ−またはテトラエチレングリコール、１，２−プロパンジオール、ジ−、トリ−またはテトラプロピレングリコール、１，３−プロパンジオール、１，４−ブタンジオール、１，３−ブタンジオール、２，３−ブタンジオール、１，５−ペンタンジオール、１，６−ヘキサンジオール、２，２−ジメチル−１，３−プロパンジオール、１，４−ジヒドロキシシクロヘキサン、１，４−ジメチロールシクロヘキサン、１，８−オクタンジオール、１，１０−デカンジオール、１，１２−ドデカンジオールまたはこれらの混合物のような多価アルコールを用い、任意にトリメチロールプロパンまたはグリセロールのように、より高い官能性のポリオールを同時に用い、例えばコハク酸、グルタール酸、アジピン酸、ピメリン酸、スベリン酸、アゼライン酸、セバシン酸、ノナンジカルボン酸、デカンジカルボン酸、テレフタル酸、イソフタル酸、ｏ−フタル酸、テトラヒドロフタル酸、ヘキサヒドロフタル酸またはトリメリット酸、および酸無水物、例えばｏ−フタル酸無水物、トリメリット酸無水物またはコハク酸無水物、またはこれらの混合物のような脂肪族、脂環式または芳香族のジ−またはポリカルボン酸またはその無水物から公知の方式で製造され得るような、線状ポリエステルジオールである。もちろん、脂環式および／または芳香族のジ−およびポリヒドロキシ化合物もまたポリエステルポリオールの製造のための多価アルコールとして適する。遊離ポリカルボン酸の代わりに、低級アルコールの相応するポリカルボン酸無水物または相応するポリカルボキシレート、またはこれらの混合物をポリエステルの製造に用いることも可能である。
【００４３】
また、前記高分子マトリックスの合成に用いることができるポリエステルポリオールとしては、ラクトンの単一−または共重合体があり、これは好ましくはブチロラクトン、ε−カプロラクトンおよび／またはメチル−ε−カプロラクトンのようなラクトンまたはラクトン混合物の、例えばポリエステルポリオール用合成成分として前記で言及された小さい分子量の多価アルコールのような適した２官能性および／またはより高い官能性の開始剤分子との添加反応により得られる。
【００４４】
また、ヒドロキシル基を有するポリカーボネートもまた予備重合体合成のためのポリヒドロキシ成分として適しているが、例えばジオール、例えば１，４−ブタンジオールおよび／または１，６−ヘキサンジオールおよび／または３−メチルペンタンジオールの、ジアリールカーボネート、例えばジフェニルカーボネート、ジメチルカーボネートまたはホスゲンとの反応により製造され得るものである。
【００４５】
また、前記高分子マトリックスの合成に用いることができるポリエーテルポリオールは、例えばスチレンオキシド、エチレンオキシド、プロピレンオキシド、テトラヒドロフラン、ブチレンオキシド、エピクロロヒドリンの多重添加生成物とこれらの混合添加生成物およびグラフト生成物、そして多価アルコールまたはこれらの混合物の縮合により得られるポリエーテルポリオールおよび多価アルコール、アミンおよびアミノアルコールのアルコキシ化により得られるものである。前記ポリエーテルポリオールの具体的な例としては、１．５乃至６のＯＨ官能度および２００乃至１８０００ｇ／モル間の数平均分子量、好ましくは１．８乃至４．０のＯＨ官能度および６００乃至８０００ｇ／モルの数平均分子量、特に好ましくは１．９乃至３．１のＯＨ官能度および６５０乃至４５００ｇ／モルの数平均分子量を有する、ランダムまたはブロック共重合体形態のポリ（プロピレンオキシド）、ポリ（エチレンオキシド）およびこれらの組み合わせ、またはポリ（テトラヒドロフラン）およびこれらの混合物である。
【００４６】
一方、前記実施形態のフォトポリマー組成物からより高い屈折率変調値（△ｎ）および回折効率を実現するためには、前記２以上のヒドロキシ基を有するポリオールとして１，０００ｇ／ｍｏｌ乃至３，０００ｇ／ｍｏｌ、または１，２００ｇ／ｍｏｌ乃至２，５００ｇ／ｍｏｌの水酸基当量を有するポリオールを用いることができる。前述した範囲の水酸基当量を有するポリオールを用いる場合、ウレタン結合を形成する高分子マトリックス（ｍａｔｒｉｘ）の架橋反応で架橋度の調節および架橋反応性の調節がより容易である。
【００４７】
また、前述した範囲の水酸基当量を有するポリオールを用いる場合、前記多重水素結合が可能な水素結合性官能基と１以上のイソシアネート基を有する反応性イソシアネート化合物に対比して２以上のヒドロキシ基を有するポリオールのモル比が２乃至８、または３乃至６であってもよい。前記反応性イソシアネート化合物に対比して２以上のヒドロキシ基を有するポリオールの重量比が前述の範囲になることによって水素結合による架橋結合のサイト（ｓｉｔｅ）比率が調節されて最終高分子マトリックス（ｍａｔｒｉｘ）の架橋密度が調節され、このような架橋密度により高分子マトリックス（ｍａｔｒｉｘ）のガラス転移温度（Ｔｇ）および記録単量体の流動性が変わり、これによって、最終製造されるホログラム記録媒体の屈折率変調値（△ｎ）および回折効率が大きく向上することができる。
【００４８】
一方、前記光反応性単量体は、多官能（メタ）アクリレート単量体または単官能（メタ）アクリレート単量体を含むことができる。
【００４９】
前述のように、前記フォトポリマー組成物の光重合過程で単量体が重合されてポリマーが相対的に多く存在する部分では屈折率が高くなり、高分子バインダーが相対的に多く存在する部分では屈折率が相対的に低くなって屈折率変調ができるようになり、このような屈折率変調により回折格子が生成される。
【００５０】
具体的に、前記光反応性単量体の一例としては、（メタ）アクリレート系α、β−不飽和カルボン酸誘導体、例えば（メタ）アクリレート、（メタ）アクリルアミド、（メタ）アクリロニトリルまたは（メタ）アクリル酸などや、またはビニル基（ｖｉｎｙｌ）またはチオール基（ｔｈｉｏｌ）を含む化合物が挙げられる。
【００５１】
前記光反応性単量体の一例として、屈折率が１．５以上、または１．５３以上、または１．５乃至１．７である多官能（メタ）アクリレート単量体が挙げられ、このような屈折率が１．５以上、または１．５３以上、または１．５乃至１．７である多官能（メタ）アクリレート単量体は、ハロゲン（Ｈａｌｏｇｅｎ）原子（臭素（ｂｒｏｍｉｎｅ）、ヨウ素（ｉｏｄｉｎｅ）など）、硫黄（Ｓ）、リン（Ｐ）、または芳香族環（ａｒｏｍａｔｉｃ  ｒｉｎｇ）を含むことができる。
【００５２】
前記屈折率が１．５以上である多官能（メタ）アクリレート単量体のより具体的な例としては、ビスフェノールＡ変性ジアクリレート系（ｂｉｓｐｈｅｎｏｌ  Ａ  ｍｏｄｉｆｉｅｄ  ｄｉａｃｒｙｌａｔｅ系）、フルオレンアクリレート系（ｆｌｕｏｒｅｎｅ  ａｃｒｙｌａｔｅ系）（ＨＲ６０２２など−Ｍｉｗｏｎ社）、ビスフェノールフルオレンエポキシアクリレート系（ｂｉｓｐｈｅｎｏｌ  ｆｌｕｏｒｅｎｅ  ｅｐｏｘｙ  ａｃｒｙｌａｔｅ系）（ＨＲ６１００、ＨＲ６０６０、ＨＲ６０４２など−Ｍｉｗｏｎ社）、ハロゲン化エポキシアクリレート系（Ｈａｌｏｇｅｎａｔｅｄ  ｅｐｏｘｙ  ａｃｒｙｌａｔｅ系）（ＨＲ１１３９、ＨＲ３３６２など−Ｍｉｗｏｎ社）などが挙げられる。
【００５３】
前記光反応性単量体の他の一例として、単官能（メタ）アクリレート単量体が挙げられる。前記単官能（メタ）アクリレート単量体は、分子内部にエーテル結合およびフルオレン官能基を含むことができ、このような単官能（メタ）アクリレート単量体の具体的な例としては、フェノキシベンジル（メタ）アクリレート、ｏ−フェニルフェノールエチレンオキシド（メタ）アクリレート、ベンジル（メタ）アクリレート、２−（フェニルチオ）エチル（メタ）アクリレート、またはビフェニルメチル（メタ）アクリレートなどが挙げられる。
【００５４】
一方、前記光反応性単量体としては、５０ｇ／ｍｏｌ乃至１０００ｇ／ｍｏｌ、または２００ｇ／ｍｏｌ乃至６００ｇ／ｍｏｌの重量平均分子量を有することができる。前記重量平均分子量は、ＧＰＣ法により測定したポリスチレン換算の重量平均分子量（単位：ｇ／ｍｏｌ）を意味する。前記ＧＰＣ法により測定したポリスチレン換算の重量平均分子量を測定する過程では、通常知られた分析装置と示差屈折検出器（Ｒｅｆｒａｃｔｉｖｅ  Ｉｎｄｅｘ  Ｄｅｔｅｃｔｏｒ）などの検出器および分析用カラムを用いることができ、通常適用される温度条件、溶媒、流速（ｆｌｏｗ  ｒａｔｅ）を適用することができる。前記測定条件の具体的な例として、３０℃の温度、クロロホルム溶媒（Ｃｈｌｏｒｏｆｏｒｍ）および１ｍＬ／ｍｉｎの流速（ｆｌｏｗ  ｒａｔｅ）が挙げられる。
【００５５】
一方、前記実施形態のフォトポリマー組成物は、光開始剤を含む。前記光開始剤は、光または化学放射線により活性化される化合物であり、前記光反応性単量体など光反応性官能基を含有する化合物の重合を開始する。
【００５６】
前記光開始剤としては、通常知られた光開始剤を大きい制限なしに用いることができるが、その具体的な例としては光ラジカル重合開始剤、光陽イオン重合開始剤、または光陰イオン重合開始剤が挙げられる。
【００５７】
前記光ラジカル重合開始剤の具体的な例としては、イミダゾール誘導体、ビスイミダゾール誘導体、Ｎ−アリールグリシン誘導体、有機アジド化合物、チタノセン、アルミネート錯体、有機過酸化物、Ｎ−アルコキシピリジニウム塩、チオキサントン誘導体、アミン誘導体などが挙げられる。より具体的に、前記光ラジカル重合開始剤としては、１，３−ジ（ｔ−ブチルジオキシカルボニル）ベンゾフェノン（１，３−ｄｉ（ｔ−ｂｕｔｙｌｄｉｏｘｙｃａｒｂｏｎｙｌ）ｂｅｎｚｏｐｈｅｎｏｎｅ）、３，３’，４，４’’−テトラキス（ｔ−ブチルジオキシカルボニル）ベンゾフェノン（３，３’，４，４’’−ｔｅｔｒａｋｉｓ（ｔ−ｂｕｔｙｌｄｉｏｘｙｃａｒｂｏｎｙｌ）ｂｅｎｚｏｐｈｅｎｏｎｅ）、３−フェニル−５−イソオキサゾロン（３−ｐｈｅｎｙｌ−５−ｉｓｏｘａｚｏｌｏｎｅ）、２−メルカプトベンズイミダゾール（２−ｍｅｒｃａｐｔｏ  ｂｅｎｚｉｍｉｄａｚｏｌｅ）、ビス（２，４，５−トリフェニル）イミダゾール（ｂｉｓ（２，４，５−ｔｒｉｐｈｅｎｙｌ）ｉｍｉｄａｚｏｌｅ）、２，２−ジメトキシ−１，２−ジフェニルエタン−１−オン（２，２−ｄｉｍｅｔｈｏｘｙ−１，２−ｄｉｐｈｅｎｙｌｅｔｈａｎｅ−１−ｏｎｅ）（製品名：Ｉｒｇａｃｕｒｅ  ６５１／製造会社：ＢＡＳＦ）、１−ヒドロキシ−シクロヘキシル−フェニル−ケトン（１−ｈｙｄｒｏｘｙ−ｃｙｃｌｏｈｅｘｙｌ−ｐｈｅｎｙｌ−ｋｅｔｏｎｅ）（製品名：Ｉｒｇａｃｕｒｅ  １８４／製造会社：ＢＡＳＦ）、２−ベンジル−２−ジメチルアミノ−１−（４−モルホリノフェニル）−ブタノン−１（２−ｂｅｎｚｙｌ−２−ｄｉｍｅｔｈｙｌａｍｉｎｏ−１−（４−ｍｏｒｐｈｏｌｉｎｏｐｈｅｎｙｌ）−ｂｕｔａｎｏｎｅ−１）（製品名：Ｉｒｇａｃｕｒｅ  ３６９／製造会社：ＢＡＳＦ）、およびビス（η５−２，４−シクロペンタジエン−１−イル）−ビス（２，６−ジフルオロ−３−（１Ｈ−ピロール−１−イル）−フェニル）チタン（ｂｉｓ（η５−２，４−ｃｙｃｌｏｐｅｎｔａｄｉｅｎｅ−１−ｙｌ）−ｂｉｓ（２，６−ｄｉｆｌｕｏｒｏ−３−（１Ｈ−ｐｙｒｒｏｌｅ−１−ｙｌ）−ｐｈｅｎｙｌ）ｔｉｔａｎｉｕｍ）（製品名：Ｉｒｇａｃｕｒｅ  ７８４／製造会社：ＢＡＳＦ）、Ｅｂｅｃｒｙｌ  Ｐ−１１５（製造会社：ＳＫ  ｅｎｔｉｓ）、Ｈ−Ｎｕ  ２５４（製造会社：Ｓｐｅｃｔｒａ  Ｇｒｏｕｐ  Ｌｉｍｉｔｅｄ）などが挙げられる。
【００５８】
前記光陽イオン重合開始剤としては、ジアゾニウム塩（ｄｉａｚｏｎｉｕｍ  ｓａｌｔ）、スルホニウム塩（ｓｕｌｆｏｎｉｕｍ  ｓａｌｔ）、またはヨードニウム塩（ｉｏｄｏｎｉｕｍ  ｓａｌｔ）が挙げられ、例えばスルホン酸エステル、イミドスルホネート、ジアルキル−４−ヒドロキシスルホニウム塩、アリールスルホン酸−ｐ−ニトロベンジルエステル、シラノール−アルミニウム着物、（η６−ベンゼン）（η５−シクロペンタジエニル）鉄（ＩＩ）などが挙げられる。また、ベンゾイントシレート、２，５−ジニトロベンジルトシレート、Ｎ−トシルフタル酸イミドなども挙げられる。前記光陽イオン重合開始剤のより具体的な例としては、Ｃｙｒａｃｕｒｅ  ＵＶＩ−６９７０、Ｃｙｒａｃｕｒｅ  ＵＶＩ−６９７４およびＣｙｒａｃｕｒｅ  ＵＶＩ−６９９０（製造会社：Ｄｏｗ  Ｃｈｅｍｉｃａｌ  Ｃｏ．ｉｎ  ＵＳＡ）やＩｒｇａｃｕｒｅ  ２６４およびＩｒｇａｃｕｒｅ  ２５０（製造会社：ＢＡＳＦ）またはＣＩＴ−１６８２（製造会社：Ｎｉｐｐｏｎ  Ｓｏｄａ）などの市販製品が挙げられる。
【００５９】
前記光陰イオン重合開始剤としては、ボレート塩（Ｂｏｒａｔｅ  ｓａｌｔ）が挙げられ、例えばブチリルクロリンブチルトリフェニルボレート（ＢＵＴＹＲＹＬ  ＣＨＯＬＩＮＥ  ＢＵＴＹＬＴＲＩＰＨＥＮＹＬＢＯＲＡＴＥ）などが挙げられる。前記光陰イオン重合開始剤のより具体的な例としては、Ｂｏｒａｔｅ  Ｖ（製造会社：Ｓｐｅｃｔｒａ  ｇｒｏｕｐ）などの市販製品が挙げられる。
【００６０】
また、前記実施形態のフォトポリマー組成物は、一分子（類型Ｉ）または二分子（類型ＩＩ）開始剤を用いることもできる。前記自由ラジカル光重合のための（類型Ｉ）システムは、例えば第三級アミンと組み合わせられた芳香族ケトン化合物、例えばベンゾフェノン、アルキルベンゾフェノン、４，４’−ビス（ジメチルアミノ）ベンゾフェノン（ミヒラーの（Ｍｉｃｈｌｅｒ’ｓ）ケトン）、アントロンおよびハロゲン化ベンゾフェノンまたは前記類型の混合物である。前記二分子（類型ＩＩ）開始剤としては、ベンゾインおよびその誘導体、ベンジルケタール、アシルホスファインオキシド、例えば２，４，６−トリメチルベンゾイルジフェニルホスファインオキシド、ビスアシルホスファインオキシド、フェニルグリオキシルエステル、カンファーキノン、アルファ−アミノアルキルフェノン、アルファ−、アルファ−ジアルコキシアセトフェノン、１−［４−（フェニルチオ）フェニル］オクタン−１，２−ジオン２−（Ｏ−ベンゾイルオキシム）およびアルファ−ヒドロキシアルキルフェノンなどが挙げられる。
【００６１】
前記フォトポリマー組成物は、前記高分子マトリックスまたはその前駆体１重量％乃至８０重量％；前記反応性官能基を含む架橋剤５乃至８０重量％；前記光反応性単量体５重量％乃至８０重量％；および前記光開始剤０．１重量％乃至１５重量％；を含むことができ、後述するように、前記フォトポリマー組成物が有機溶媒をさらに含む場合、前述した成分の含有量は、これら成分の総合（有機溶媒を除いた成分の総合）を基準にする。
【００６２】
前記フォトポリマー組成物は、低屈折率フッ素系化合物をさらに含むことができる。前記フッ素系化合物は、反応性が殆どない安定性を有し、低屈折特性を有するため、前記フォトポリマー組成物内に添加時、高分子マトリックスの屈折率をより低めることができるため、モノマーとの屈折率変調を極大化させることができる。
【００６３】
前記低屈折率フッ素系化合物は、エーテル基、エステル基およびアミド基からなる群より選択された１種以上の官能基および２以上のジフルオロメチレン基を含むことができる。より具体的に、前記フッ素系化合物は、２個のジフルオロメチレン基間の直接結合またはエーテル結合を含む中心官能基の両末端にエーテル基を含む官能基が結合した下記化学式４構造を有することができる。
【００６４】
【化１】
2020537182.tif 000002
【００６５】
前記化学式４で、Ｒ１１およびＲ１２は、それぞれ独立して、ジフルオロメチレン基であり、Ｒ１３およびＲ１６は、それぞれ独立して、メチレン基であり、Ｒ１４およびＲ１５は、それぞれ独立して、ジフルオロメチレン基であり、Ｒ１７およびＲ１８は、それぞれ独立して、ポリアルキレンオキシド基であり、ｍは１以上、または１乃至１０、または１乃至３の整数である。
【００６６】
好ましくは前記化学式４で、Ｒ１１およびＲ１２は、それぞれ独立して、ジフルオロメチレン基であり、Ｒ１３およびＲ１６は、それぞれ独立して、メチレン基であり、Ｒ１４およびＲ１５は、それぞれ独立して、ジフルオロメチレン基であり、Ｒ１７およびＲ１８は、それぞれ独立して、２−メトキシエトキシメトキシ基であり、ｍは２の整数である。
【００６７】
前記低屈折率フッ素系化合物は、屈折率が１．４５未満、または１．４以上１．４５未満であってもよい。前述のように光反応性単量体が１．５以上の屈折率を有するため、前記低屈折率フッ素系化合物は、光反応性単量体より低い屈折率を通じて、高分子マトリックスの屈折率をより低めることができ、モノマーとの屈折率変調を極大化させることができる。
【００６８】
具体的に、前記低屈折率フッ素系化合物の含有量は、光反応性単量体１００重量部に対して、３０重量部乃至１５０重量部、または５０重量部乃至１１０重量部であってもよい。
【００６９】
前記低屈折率フッ素系化合物の含有量が光反応性単量体１００重量部に対して過度に減少するようになると、低屈折成分の不足により記録後の屈折率変調値が低くなり、前記低屈折率フッ素系化合物の含有量が光反応性単量体１００重量部に対して過度に増加するようになると、架橋度が低くてフィルムが形成されないか、または相溶性が劣って欠陥率が高くなることがあり、その他成分との相溶性の問題でヘイズが発生したり一部のフッ素系化合物がコーティング層の表面に溶出するという問題が発生することがある。
【００７０】
前記低屈折率フッ素系化合物は、重量平均分子量（ＧＰＣ測定）が３００以上、または３００乃至１０００であってもよい。重量平均分子量測定の具体的な方法は前述したとおりである。
【００７１】
一方、前記フォトポリマー組成物は、光感応染料をさらに含むことができる。前記光感応染料は、前記光開始剤を増減させる増減色素の役割を果たすが、より具体的に前記光感応染料は、光重合体組成物に照射された光により刺激されてモノマーおよび架橋モノマーの重合を開始する開始剤の役割も共に果たすことができる。前記フォトポリマー組成物は、光感応染料０．０１乃至３０重量％、または０．０５乃至２０重量％含むことができる。
【００７２】
前記光感応染料の例が大きく限定されるのではなく、通常知られた多様な化合物を用いることができる。前記光感応染料の具体的な例としては、セラミドニンのスルホニウム誘導体（ｓｕｌｆｏｎｉｕｍ  ｄｅｒｉｖａｔｉｖｅ）、ニューメチレンブルー（ｎｅｗ  ｍｅｔｈｙｌｅｎｅ  ｂｌｕｅ）、チオエリスロシントリエチルアンモニウム（ｔｈｉｏｅｒｙｔｈｒｏｓｉｎｅ  ｔｒｉｅｔｈｙｌａｍｍｏｎｉｕｍ）、６−アセチルアミノ−２−メチルセラミドニン（６−ａｃｅｔｙｌａｍｉｎｏ−２−ｍｅｔｈｙｌｃｅｒａｍｉｄｏｎｉｎ）、エオシン（ｅｏｓｉｎ）、エリスロシン（ｅｒｙｔｈｒｏｓｉｎｅ）、ローズベンガル（ｒｏｓｅ  ｂｅｎｇａｌ）、チオニン（ｔｈｉｏｎｉｎｅ）、ベーシックイエロー（ｂａｓｅｉｃ  ｙｅｌｌｏｗ）、ピナシアノールクロリド（Ｐｉｎａｃｙａｎｏｌ  ｃｈｌｏｒｉｄｅ）、ローダミン６Ｇ（ｒｈｏｄａｍｉｎｅ  ６Ｇ）、ガロシアニン（ｇａｌｌｏｃｙａｎｉｎｅ）、エチルバイオレット（ｅｔｈｙｌ  ｖｉｏｌｅｔ）、ビクトリアブルーＲ（Ｖｉｃｔｏｒｉａ  ｂｌｕｅ  Ｒ）、セレスチンブルー（Ｃｅｌｅｓｔｉｎｅ  ｂｌｕｅ）、キナルジンレッド（Ｑｕｉｎａｌｄｉｎｅ  Ｒｅｄ）、クリスタルバイオレット（ｃｒｙｓｔａｌ  ｖｉｏｌｅｔ）、ブリリアントグリーン（Ｂｒｉｌｌｉａｎｔ  Ｇｒｅｅｎ）、アストラゾンオレンジ Ｇ（Ａｓｔｒａｚｏｎ  ｏｒａｎｇｅ  Ｇ）、ダルレッド（ｄａｒｒｏｗ  ｒｅｄ）、ピロニンＹ（ｐｙｒｏｎｉｎ  Ｙ）、ベーシックレッド２９（ｂａｓｉｃ  ｒｅｄ  ２９）、ピリリウムＩ（ｐｙｒｙｌｉｕｍ  ｉｏｄｉｄｅ）、サフラニンＯ（Ｓａｆｒａｎｉｎ  Ｏ）、シアニン、メチレンブルー、アズールＡ（Ａｚｕｒｅ  Ａ）、またはこれらの２以上の組み合わせが挙げられる。
【００７３】
一方、フォトポリマー組成物は、有機溶媒をさらに含むことができる。前記有機溶媒の非制限的な例を挙げると、ケトン類、アルコール類、アセテート類およびエーテル類、またはこれらの２種以上の混合物が挙げられる。
【００７４】
このような有機溶媒の具体的な例としては、メチルエチルケトン、メチルイソブチルケトン、アセチルアセトンまたはイソブチルケトンなどのケトン類；メタノール、エタノール、ｎ−プロパノール、ｉ−プロパノール、ｎ−ブタノール、ｉ−ブタノール、またはｔ−ブタノールなどのアルコール類；エチルアセテート、ｉ−プロピルアセテート、またはポリエチレングリコールモノメチルエーテルアセテートなどのアセテート類；テトラヒドロフランまたはプロピレングリコールモノメチルエーテルなどのエーテル類；またはこれらの２種以上の混合物が挙げられる。
【００７５】
前記有機溶媒は、前記フォトポリマー組成物に含まれる各成分を混合する時期に添加されたり各成分が有機溶媒に分散または混合された状態で添加されて前記フォトポリマー組成物に含まれてもよい。前記フォトポリマー組成物中の有機溶媒の含有量が過度に小さい場合、前記フォトポリマー組成物の流れ性が低下して最終製造されるフィルムに縞柄ができるなど不良が発生することがある。また、前記有機溶媒の過量添加時に固形分含有量が低くなり、コーティングおよび成膜が十分になさらず、フィルムの物性や表面特性が低下することがあり、乾燥および硬化過程で不良が発生することがある。これによって、前記フォトポリマー組成物は、含まれる成分の全体固形分の濃度が１重量％乃至７０重量％、または２重量％乃至５０重量％になるように有機溶媒を含むことができる。
【００７６】
前記フォトポリマー組成物は、その他添加剤、触媒などをさらに含むことができる。例えば、前記フォトポリマー組成物は、前記高分子マトリックスや光反応性単量体の重合を促進するために通常知られた触媒を含むことができる。前記触媒の例としては、スズオクタノエート、亜鉛オクタノエート、ジブチルスズジラウレート、ジメチルビス［（１−ヨウ素ネオデシル）オキシ］スタナン、ジメチルスズジカルボキシレート、ジルコニウムビス（エチルヘキサノエート）、ジルコニウムアセチルアセトネート、ｐ−トルエンスルホン酸（ｐ−ｔｏｌｕｅｎｅｓｕｌｆｏｎｉｃ  ａｃｉｄ）または第三級アミン、例えば１，４−ジアザビシクロ［２．２．２］オクタン、ジアザビシクロノナン、ジアザビシクロウンデカン、１，１，３，３−テトラメチルグアニジン、１，３，４，６，７，８−ヘキサヒドロ−１−メチル−２Ｈ−ピリミド（１，２−ａ）ピリミジンなどが挙げられる。
【００７７】
前記その他添加剤の例としては、消泡剤またはホスフェート系可塑剤が挙げられ、前記消泡剤としては、シリコン系反応性添加剤を用いることができ、その例としてＴｅｇｏ  Ｒａｄ  ２５００が挙げられる。前記可塑剤の例としては、トリブチルホスフェートのようなホスフェート化合物が挙げられ、前記可塑剤は、前述したフッ素系化合物と共に１：５乃至５：１の重量比率に添加されてもよい。前記可塑剤は、屈折率が１．５未満であり、分子量が７００以下であってもよい。
【００７８】
一方、前述したフッ素系化合物またはホスフェート系化合物は、光反応性単量体に比べて低い屈折率を有しており、高分子マトリックスの屈折率を低めてフォトポリマー組成物の屈折率変調を極大化させることができる。しかも、前記ホスフェート系化合物は、可塑剤の役割を果たして、前記高分子マトリックスのガラス転移温度を低めてフォトポリマー組成物の成形性を高めたり単量体の移動を円滑にすることができる。
【００７９】
前記フォトポリマー組成物は、ホログラム記録用途で用いられてもよい。
【００８０】
一方、発明の他の実施形態によれば、フォトポリマー組成物から製造されたホログラム記録媒体が提供され得る。
【００８１】
前述のように、前記一実施形態のフォトポリマー組成物を用いると、より薄い厚さを有しながらも以前に知られたホログラムに比べて大きく向上した屈折率変調値および高い回折効率を実現できるホログラムが提供され得る。
【００８２】
前記ホログラム記録媒体は、５μｍ乃至３０μｍの厚さでも０．００９以上または０．０１０以上、または０．０１１以上、または０．０１２以上の屈折率変調値（ｎ）を実現することができ、その上限が大きく限定されるのではなく、例えば０．０２０以下であってもよい。
【００８３】
また、前記ホログラム記録媒体は、５μｍ乃至３０μｍの厚さで５０％以上、または７０％以上、または８０％以上、または８５％以上の回折効率を実現することができ、その上限が大きく限定されるのではなく、例えば９９．９％以下であってもよい。
【００８４】
前記一実施形態のフォトポリマー組成物は、これに含まれるそれぞれの成分を均一に混合して２０℃以上の温度で乾燥および硬化をした後、所定の露光過程を経て全体可視範囲および近紫外線領域（３００乃至８００ｎｍ）での光学的適用のためのホログラムとして製造されてもよい。
【００８５】
前記一実施形態のフォトポリマー組成物中の高分子マトリックスまたはその前駆体を形成する成分をまず均質に混合し、線状シラン架橋剤を後ほど触媒と共に混合してホログラムの形成過程を準備することができる。
【００８６】
前記一実施形態のフォトポリマー組成物は、これに含まれるそれぞれの成分の混合には通常知られた混合器、攪拌機またはミキサーなどを特別な制限なしに用いることができ、前記混合過程での温度は０℃乃至１００℃、好ましくは１０℃乃至８０℃、特に好ましくは２０℃乃至６０℃であってもよい。
【００８７】
一方、前記一実施形態のフォトポリマー組成物中の高分子マトリックスまたはその前駆体を形成する成分をまず均質に混合した後、線状シラン架橋剤を添加する時点で前記フォトポリマー組成物は２０℃以上の温度で硬化される液体配合物になることができる。
【００８８】
前記硬化の温度は、前記フォトポリマーの組成により変わることがあり、例えば３０℃乃至１８０℃の温度で加熱することによって促進される。
【００８９】
前記硬化時には前記フォトポリマーが所定の基板やモールドに注入されたりコーティングされた状態であってもよい。
【００９０】
一方、前記フォトポリマー組成物から製造されたホログラム記録媒体に視覚的ホログラムの記録する方法は、通常知られた方法を大きい制限なしに用いることができ、後述する実施形態のホログラフィック記録方法で説明する方法を一つの例として採用することができる。
【００９１】
一方、発明のまた他の実施形態によれば、可干渉性光源により前記フォトポリマー組成物に含まれている光反応性単量体を選択的に重合させる段階を含む、ホログラフィック記録方法が提供され得る。
【００９２】
前述のように、前記フォトポリマー組成物を混合および硬化する過程を通じて視覚的ホログラムが記録されていない状態の媒体を製造することができ、所定の露光過程を通じて前記媒体上に視覚的ホログラムを記録することができる。
【００９３】
前記フォトポリマー組成物を混合および硬化する過程を通じて提供される媒体に、通常知られた条件下で公知の装置および方法を利用して視覚的ホログラムを記録することができる。
【００９４】
一方、発明のまた他の実施形態によれば、ホログラム記録媒体を含む光学素子が提供され得る。
【００９５】
前記光学素子の具体的な例としては、光学レンズ、鏡、偏向鏡、フィルター、拡散スクリーン、回折部材、導光体、導波管、映写スクリーンおよび／またはマスクの機能を有するホログラフィック光学素子、光メモリシステムの媒質と光拡散板、光波長分割器、反射型、透過型カラーフィルターなどが挙げられる。
【００９６】
前記ホログラム記録媒体を含む光学素子の一例としてホログラムディスプレイ装置が挙げられる。
【００９７】
前記ホログラムディスプレイ装置は、光源部、入力部、光学系および表示部を含む。前記光源部は、入力部および表示部で物体の３次元映像情報を提供、記録および再生することに使用されるレーザビームを照射する部分である。また、前記入力部は、表示部に記録する物体の３次元映像情報を予め入力する部分であり、例えば、電気駆動液晶ＳＬＭ（ｅｌｅｃｔｒｉｃａｌｌｙ  ａｄｄｒｅｓｓｅｄ  ｌｉｑｕｉｄ  ｃｒｙｓｔａｌ  ＳＬＭ）に空間別光の強さと位相のような物体の３次元情報を入力することができ、この時、入力ビームを用いることができる。前記光学系は、ミラー、偏光器、ビームスプリッター、ビームシャッター、レンズなどから構成されてもよく、前記光学系は、光源部で放出されるレーザビームを入力部に送る入力ビーム、表示部に送る記録ビーム、基準ビーム、消去ビーム、読み出しビームなどに分配することができる。
【００９８】
前記表示部は、入力部から物体の３次元映像情報が伝達されて光学駆動ＳＬＭ（ｏｐｔｉｃａｌｌｙａ  ｄｄｒｅｓｓｅｄ  ＳＬＭ）からなるホログラムプレートに記録し、物体の３次元映像を再生することができる。この時、入力ビームと基準ビームの干渉を通じて物体の３次元映像情報を記録することができる。前記ホログラムプレートに記録された物体の３次元映像情報は、読み出しビームが生成する回折パターンにより３次元映像として再生され、消去ビームは形成された回折パターンを迅速に除去するために用いることができる。一方、前記ホログラムプレートは３次元映像を入力する位置と再生する位置の間で移動され得る。
【発明の効果】
【００９９】
本発明によれば、薄い厚さ範囲でも高い屈折率変調値および高い回折効率を実現できるフォトポリマー組成物、これを利用したホログラム記録媒体、光学素子、およびホログラフィック記録方法が提供され得る。
【発明を実施するための形態】
【０１００】
発明を下記の実施例でより詳細に説明する。ただし、下記の実施例は、本発明を例示するものに過ぎず、本発明の内容が下記の実施例により限定されるのではない。
【０１０１】
［製造例］
１．製造例１：反応性イソシアネート化合物の合成
５００ｍｌフラスコにイソホロンジイソシアネート（Ｉｓｏｐｈｏｒｏｎｅ  ｄｉｉｓｏｃｙａｎａｔｅ、３９ｇ、３．５ｍｏｌ）に２−アミノ−６−メチルピリミジン−４−オール（２−ａｍｉｎｏ−６−ｍｅｔｈｙｌｐｙｒｉｍｉｄｉｎ−４−ｏｌ）４．４ｇ（０．７ｍｏｌ）を入れて溶かした後、９０℃で４０時間還流（ｒｅｆｌｕｘｉｎｇ）させた。以降、混合物が透明な状態に変わると過量のｎ−ヘキサンに混合物を徐々に沈殿する方法でワークアップ（ｗｏｒｋ−ｕｐ）し、濾過（ｆｉｌｔｅｒｉｎｇ）と乾燥（ｄｒｙｉｎｇ）を経て生成物を３０％収率に得た。
【０１０２】
【化２】
2020537182.tif 000003
【０１０３】
製造例２：非反応性低屈折物質（Ｐ２）の製造
１０００ｍｌフラスコに２，２’−（（オキシビス（１，１，２，２−テトラフルオロエタン−２，１−ジイル））ビス（オキシ））ビス（２，２−ジフルオロエタン−１−オール）（２，２’−（（ｏｘｙｂｉｓ（１，１，２，２−ｔｅｔｒａｆｌｕｏｒｏｅｔｈａｎｅ−２，１−ｄｉｙｌ））ｂｉｓ（ｏｘｙ））ｂｉｓ（２，２−ｄｉｆｌｕｏｒｏｅｔｈａｎ−１−ｏｌ））２０．５１ｇを入れた後、テトラヒドロフラン５００ｇに溶かして０℃で攪拌しながら水素化ナトリウム（鉱油中６０％分散液）４．４０ｇを数回にかけて慎重に添加した。０℃で２０分攪拌した後、２−メトキシエトキシメチルクロリド（２−ｍｅｔｈｏｘｙｅｔｈｏｘｙｍｅｔｈｙｌ  ｃｈｌｏｒｉｄｅ）１２．５０ｍｌを徐々に滴下した。１Ｈ  ＮＭＲで反応物が全て消耗したことが確認されると、減圧して反応溶媒を全て除去した。ジクロロメタン３００ｇで３回抽出して有機層を集めた後、硫酸マグネシウムでフィルターした後、減圧してジクロロメタンを全て除去して純度９５％以上の液状生成物２９ｇを９８％の収率に得た。
【０１０４】
［実施例：フォトポリマー組成物の製造］
実施例１
下記表１に記載されたとおり、前記製造例１から得た反応性イソシアネート化合物０．２５ｇ、Ｐｏｌｙｏｌ−１（Ａｃｒｙｌｉｃ  ｐｏｌｙｏｌ、ＯＨ  ｅｑｕｉｖａｌｅｎｔ  ｗｅｉｇｈｔ＝５７６７ｇ／ｍｏｌ、固形分２０％希釈）４１．３ｇ、光反応性単量体（高屈折アクリレート、屈折率１．６００、ＨＲ６０４２［Ｍｉｗｏｎ］）８．５ｇ、トリブチルホスフェート（Ｔｒｉｂｕｔｙｌ  ｐｈｏｓｐｈａｔｅ［ＴＢＰ］、分子量２６６．３１、屈折率１．４２４、シグマアールズリッチ社製品）３．７ｇ、前記製造例２のＰ２（非反応性フッ素系化合物）３．７ｇをＭＩＢＫ（溶媒）３０ｇに混合して１時間攪拌して透明溶液を製造した。
【０１０５】
そして、ｓａｆｒａｎｉｎ  Ｏ（染料、シグマアールズリッチ社製品）４．９ｇ、第三級アミン［ＣＮ−３８６（Ｓａｒｔｏｍｅｒ）、固形分１０％希釈］３．７ｇ、Ｉｒｇａｃｕｒｅ  ２５０（固形分１％希釈）２．５ｇを添加してさらに３０分混合して均一に攪拌した後、ＤＢＴＤＬ（ｄｉｂｕｔｙｌｔｉｎ  ｄｉｌａｕｒａｔｅ、固形分１％希釈）１．６ｇ添加して１分間攪拌して透明なフォトポリマーコーティング液を製造した。
【０１０６】
以降、ＴＡＣ基材（８０μｍ）にマイヤーバー（ｍｅｙｅｒ  ｂａｒ）を利用して前記フォトポリマーコーティング液はコーティングした後、４０℃で３０分熱硬化を経て１５μｍ厚さのコーティング層を有するフォトポリマーコーティングフィルムを製造した。
【０１０７】
実施例２乃至７
前記表２のようにＰｏｌｙｏｌ−２（Ａｃｒｙｌｉｃ  ｐｏｌｙｏｌ、ＯＨ  ｅｑｕｉｖａｌｅｎｔ  ｗｅｉｇｈｔ＝１，８００ｇ／ｍｏｌ、固形分２０％希釈）を用い、他の成分の含有量を異にした点を除いては、実施例１と同様な方法でフォトポリマーコーティング液およびフォトポリマーコーティングフィルムを製造した。
【０１０８】
［実験例：ホログラフィック記録］
（１）前記実施例および比較例のそれぞれで製造されたフォトポリマーコーティング面をスライド（ｓｌｉｄｅ）ガラスにラミレートし、記録時にレーザがガラス面を先に通過するように固定した。
【０１０９】
（２）回折効率（η）の測定
二つの干渉光（参照光および物体光）の干渉を通じてホログラフィックを記録し、透過型記録は二つのビームをサンプルの同一面に入射した。二つのビームの入射角により回折効率は変わるようになり、二つのビームの入射角が同一な場合、ｎｏｎ−ｓｌａｎｔｅｄになる。ｎｏｎ−ｓｌａｎｔｅｄ記録は、二つのビームの入射角が法線基準に同一であるため、回折格子はフィルムと垂直に生成される。
【０１１０】
５３２ｎｍ波長のレーザを用いて透過型ｎｏｎ−ｓｌａｎｔｅｄ方式で記録（２θ＝４５°）し、下記一般式１で回折効率（η）を計算した。
【０１１１】
【数１】
2020537182.tif 000004
【０１１２】
前記一般式１で、ηは回折効率であり、ＰＤは記録後のサンプルの回折されたビームの出力量（ｍＷ／ｃｍ２）であり、ＰＴは記録したサンプルの透過したビームの出力量（ｍＷ／ｃｍ２）である。
【０１１３】
３屈折率変調値（△ｎ）の測定
透過型ホログラムのＬｏｓｓｌｅｓｓ  Ｄｉｅｌｅｃｔｒｉｃ  ｇｒａｔｉｎｇは、下記一般式２から屈折率変調値（△ｎ）を計算することができる。
【０１１４】
【数２】
2020537182.tif 000005
【０１１５】
前記一般式２で、ｄはフォトポリマー層の厚さであり、△ｎは屈折率変調値であり、η（ＤＥ）は回折効率であり、λは記録波長である。
【０１１６】
【表１】
2020537182.tif 000006
【表２】
2020537182.tif 000007
【０１１７】
前記表１および表２に示されているように、製造例１の多重水素結合が可能な水素結合性官能基と１以上のイソシアネート基を有する反応性イソシアネート化合物と２以上のヒドロキシ基を有するポリオール間の反応物を用いた得られた実施例のフォトポリマーコーティングフィルムは、０．００８以上の屈折率変調値（△ｎ）を有し、５０％以上の回折効率を示すという点が確認された。
【０１１８】
特に、所定の水酸基当量を有するポリオールと反応性イソシアネート化合物を３乃至６の重量比範囲で用いて製造された高分子マトリックスを含む実施例５および６の場合、０．０１８以上の屈折率変調値（△ｎ）を有し、９０％以上の回折効率を実現することができるという点が確認された。
【国際調査報告】
2020537182.tif 000008
2020537182.tif 000009
2020537182.tif 000010
2020537182.tif 000011